(57)【特許請求の範囲】
【請求項１】
無線通信システムにおいてレーンジングチャネルを送信する装置であって、
前記装置は、
無線信号を送信または受信するように構成されたＲＦ（Ｒａｄｉｏ  Ｆｒｅｑｕｅｎｃｙ）部と、
前記ＲＦ部と連結されたプロセッサと
を備え、
前記プロセッサは、周波数領域上の複数のサブバンドのうちの一つのレーンジングサブバンドに前記レーンジングチャネルを割り当てるように構成され、前記一つのレーンジングサブバンドは、セルのセル識別子（ＩＤ）及び前記複数のサブバンドの個数に基づいて決定され、前記複数のサブバンドの個数は、サブバンドＣＲＵ（Ｃｏｎｔｉｇｕｏｕｓ  Ｒｅｓｏｕｒｃｅ  Ｕｎｉｔ）の個数に基づいて決定され、
前記一つのレーンジングサブバンドは、
ＩＳＢ＝ｍｏｄ（ｃｅｌｌＩＤ，ＸＳＢ）
により計算されたインデックスを有し、
ＩＳＢは、前記周波数領域上のＸＳＢ個のサブバンドのサブバンドインデックス０，・・・，ＸＳＢ−１を表し、
ｃｅｌｌＩＤは、前記セルのセルＩＤを表し、
ＸＳＢは、前記複数のサブバンドの個数を表し、
ｍｏｄ（ｃｅｌｌＩＤ，ＸＳＢ）は、前記セルＩＤをＸＳＢで割ることにより得られる余りである、装置。
【請求項２】
前記ｃｅｌｌＩＤは、０乃至７６７のうちいずれか一つの整数である、請求項１に記載の装置。
【請求項３】
前記複数のサブバンドの個数または前記サブバンドＣＲＵの個数は、ブロードキャストされるか、或いは他の信号により指示される、請求項１に記載の装置。
【請求項４】
前記複数のサブバンドの個数は、システムの帯域幅に応じて変わる、請求項１に記載の装置。
【請求項５】
前記レーンジングサブバンドは、隣接した複数のＰＲＵ（Ｐｈｙｓｉｃａｌ  Ｒｅｓｏｕｒｃｅ  Ｕｎｉｔ）を含む、請求項１に記載の装置。
【請求項６】
前記隣接した複数のＰＲＵの個数は、４である、請求項５に記載の装置。
【請求項７】
無線通信システムにおいてレーンジングチャネルを送信する方法であって、
前記方法は、
周波数領域上の複数のサブバンドのうちの一つのレーンジングサブバンドに前記レーンジングチャネルを割り当てることであって、前記一つのレーンジングサブバンドは、セルのセル識別子（ＩＤ）及び前記複数のサブバンドの個数に基づいて決定され、前記複数のサブバンドの個数は、サブバンドＣＲＵ（Ｃｏｎｔｉｇｕｏｕｓ  Ｒｅｓｏｕｒｃｅ  Ｕｎｉｔ）の個数に基づいて決定される、ことと、
前記レーンジングチャネルを送信することと
を含み、
前記一つのレーンジングサブバンドは、
ＩＳＢ＝ｍｏｄ（ｃｅｌｌＩＤ，ＸＳＢ）
により計算されたインデックスを有し、
ＩＳＢは、前記周波数領域上のＸＳＢ個のサブバンドのサブバンドインデックス０，・・・，ＸＳＢ−１を表し、
ｃｅｌｌＩＤは、前記セルのセルＩＤを表し、
ＸＳＢは、前記複数のサブバンドの個数を表し、
ｍｏｄ（ｃｅｌｌＩＤ，ＸＳＢ）は、前記セルＩＤをＸＳＢで割ることにより得られる余りである、方法。
【請求項８】
前記ｃｅｌｌＩＤは、０乃至７６７のうちいずれか一つの整数である、請求項７に記載の方法。
【請求項９】
前記複数のサブバンドの個数または前記サブバンドＣＲＵの個数は、ブロードキャストされるか、或いは他の信号により指示される、請求項７に記載の方法。
【請求項１０】
前記複数のサブバンドの個数は、システムの帯域幅に応じて変わる、請求項７に記載の方法。
【請求項１１】
前記レーンジングサブバンドは、隣接した複数のＰＲＵ（Ｐｈｙｓｉｃａｌ  Ｒｅｓｏｕｒｃｅ  Ｕｎｉｔ）を含む、請求項７に記載の方法。
【請求項１２】
前記隣接した複数のＰＲＵの個数は、４である、請求項１１に記載の方法。
【発明の詳細な説明】
【技術分野】
【０００１】
本発明は、無線通信に関し、より詳しくは、無線通信システムにおけるレーンジングチャネル送信方法及び装置に関する。
【背景技術】
【０００２】
ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６ｅ規格は、２００７年ＩＴＵ（Ｉｎｔｅｒｎａｔｉｏｎａｌ  Ｔｅｌｅｃｏｍｍｕｎｉｃａｔｉｏｎ  Ｕｎｉｏｎ）傘下のＩＴＵ−Ｒ（ＩＴＵ−Ｒａｄｉｏｃｏｍｍｕｎｉｃａｔｉｏｎ  Ｓｅｃｔｏｒ）でＩＭＴ（Ｉｎｔｅｒｎａｔｉｏｎａｌ  Ｍｏｂｉｌｅ  Ｔｅｌｅｃｏｍｍｕｎｉｃａｔｉｏｎ）−２０００のための６番目の規格であり、‘ＷＭＡＮ−ＯＦＤＭＡ  ＴＤＤ’という名称で採択されたことがある。ＩＴＵ−Ｒは、ＩＭＴ−２０００以後の次世代４Ｇ移動通信規格としてＩＭＴ−Ａｄｖａｎｃｅｄシステムを準備している。ＩＥＥＥ８０２．１６ＷＧ（Ｗｏｒｋｉｎｇ  Ｇｒｏｕｐ）は、２００６年末ＩＭＴ−Ａｄｖａｎｃｅｄシステムのための規格として既存ＩＥＥＥ８０２．１６ｅの修正（ａｍｅｎｄｍｅｎｔ）規格を作成することを目標にＩＥＥＥ８０２．１６ｍプロジェクトの推進を決定した。前記目標から分かるように、ＩＥＥＥ８０２．１６ｍ規格は、ＩＥＥＥ８０２．１６ｅ規格の修正という過去の連続性と次世代ＩＭＴ−Ａｄｖａｎｃｅｄシステムのための規格という未来の連続性である二つの側面を内包している。従って、ＩＥＥＥ８０２．１６ｍ規格は、ＩＥＥＥ８０２．１６ｅ規格に基づくＭｏｂｉｌｅ  ＷｉＭＡＸシステムとの互換性（ｃｏｍｐａｔｉｂｉｌｉｔｙ）を維持しつつ、ＩＭＴ−Ａｄｖａｎｃｅｄシステムのための進歩した要求事項を全部満たすことを要求している。
【０００３】
広域無線通信システムの場合、限定された無線資源の効率性を極大化するために効果的な送受信技法及び活用方案が提案されてきた。次世代無線通信システムで考慮されているシステムのうち一つは、低い複雑度によりシンボル間干渉（ＩＳＩ；Ｉｎｔｅｒ−Ｓｙｍｂｏｌ  Ｉｎｔｅｒｆｅｒｅｎｃｅ）効果を減殺させることができる直交周波数分割多重（ＯＦＤＭ；Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）システムである。ＯＦＤＭは、直列に入力されるデータシンボルをＮ個の並列データシンボルに変換し、各々分離されたＮ個の副搬送波（ｓｕｂｃａｒｒｉｅｒ）に載せて送信する。副搬送波は、周波数次元で直交性を維持するようにする。各々の直交チャネルは、相互独立的な周波数選択的フェーディング（ｆｒｅｑｕｅｎｃｙ  ｓｅｌｅｃｔｉｖｅ  ｆａｄｉｎｇ）を経験するようになり、これによって受信段での複雑度が減少し、送信されるシンボルの間隔が長くなってシンボル間干渉が最小化されることができる。
【０００４】
直交周波数分割多重接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ；以下、ＯＦＤＭＡという）は、ＯＦＤＭを変調方式に使用するシステムにおいて、利用可能な副搬送波の一部を各ユーザに独立的に提供し、多重接続を実現する多重接続方法をいう。ＯＦＤＭＡは、副搬送波という周波数リソースを各ユーザに提供し、各々の周波数リソースは、多数のユーザに独立的に提供されて互いに重ならないことが一般的である。結局、周波数リソースは、ユーザ毎に相互排他的に割り当てられる。ＯＦＤＭＡシステムで周波数選択的スケジューリング（ｆｒｅｑｕｅｎｃｙ  ｓｅｌｅｃｔｉｖｅ  ｓｃｈｅｄｕｌｉｎｇ）を介して多重ユーザに対する周波数ダイバーシティ（ｆｒｅｑｕｅｎｃｙ  ｄｉｖｅｒｓｉｔｙ）を得ることができ、副搬送波に対する順列（ｐｅｒｍｕｔａｔｉｏｎ）方式によって副搬送波を多様な形態に割り当てることができる。また、多重アンテナ（ｍｕｌｔｉｐｌｅ  ａｎｔｅｎｎａ）を用いた空間多重化技法により空間領域の効率性を高めることができる。
【０００５】
レーンジングチャネル（ｒａｎｇｉｎｇ  ｃｈａｎｎｅｌ）は、アップリンク同期化のために使われることができる。レーンジングチャネルは、非同期端末（ｎｏｎ−ｓｙｎｃｈｒｏｎｉｚｅｄ  ＭＳ）と同期端末（ｓｙｎｃｈｒｏｎｉｚｅｄ  ＭＳ）のためのレーンジングチャネルに区分されることができる。非同期端末のためのレーンジングチャネルは、初期接続（ｉｎｉｔｉａｌ  ａｃｃｅｓｓ）及びハンドオーバーのために使われることができる。同期端末のためのレーンジングチャネルは、周期的レーンジングのために使われることができる。
【０００６】
周波数パーティション（ＦＰ；Ｆｒｅｑｕｅｎｃｙ  Ｐａｒｔｉｔｉｏｎ）及びサブバンド（ＳＢ；ｓｕｂｂａｎｄ）／ミニバンド（ＭＢ；ｍｉｎｉｂａｎｄ）を考慮したレーンジングチャネルのリソース割当方法が必要である。
【発明の概要】
【発明が解決しようとする課題】
【０００７】
本発明の技術的課題は、無線通信システムでレーンジングチャネルを送信する方法及び装置を提供することである。
【課題を解決するための手段】
【０００８】
一態様において、無線通信システムにおけるレーンジングチャネル送信装置が提供される。前記装置は、プロセッサ、及び前記プロセッサと連結され、レーンジングチャネルの周波数リソース割当情報を受信し、前記レーンジングチャネルを送信するＲＦ部を含み、前記プロセッサは、前記レーンジングチャネルの周波数リソース割当情報に基づいて決定されたリソース領域上の一つのレーンジングサブバンド（ｒａｎｇｉｎｇ  ｓｕｂｂａｎｄ）にレーンジングチャネル（ｒａｎｇｉｎｇ  ｃｈａｎｎｅｌ）を割り当て、前記レーンジングチャネルの周波数リソース割当情報は、端末が属するセルＩＤ及び前記リソース領域に割り当てられたサブバンドの個数または割り当てられたサブバンドＣＲＵ（Ｃｏｎｔｉｇｕｏｕｓ  Ｒｅｓｏｕｒｃｅ  Ｕｎｉｔ）の個数を含む。前記レーンジングサブバンドは、ＩＳＢ＝ｍｏｄ（ｃｅｌｌＩＤ，ＸＳＢ）の数式により計算されたインデックスを有するサブバンドである。ＩＳＢは、リソース領域上のサブバンドのインデックス（０，…，ＸＳＢ−１）であり、ｃｅｌｌＩＤは、前記端末が属するセルＩＤであり、ＸＳＢは、前記リソース領域に割り当てられたサブバンドの個数または前記割り当てられたサブバンドＣＲＵの個数である。前記ｃｅｌｌＩＤは、０乃至７６７のうちいずれか一つの整数である。前記リソース領域に割り当てられたサブバンドの個数または前記割り当てられたサブバンドＣＲＵの個数は、ブロードキャスト（ｂｒｏａｄｃａｓｔ）されたり、或いは他の信号により指示される。前記リソース領域に割り当てられたサブバンドの個数は、システムの帯域幅に応じて可変する。前記レーンジングサブバンドは、隣接した複数の物理リソースユニット（ＰＲＵ；Ｐｈｙｓｉｃａｌ  Ｒｅｓｏｕｒｃｅ  Ｕｎｉｔ）を含む。前記隣接した複数のＰＲＵの個数は、４個である。
【０００９】
他の態様において、無線通信システムにおけるレーンジングチャネル送信方法が提供される。前記方法は、レーンジングチャネルの周波数リソース割当情報を受信し、前記レーンジングチャネルの周波数リソース割当情報に基づいて決定されたリソース領域上の一つのレーンジングサブバンド（ｒａｎｇｉｎｇ  ｓｕｂｂａｎｄ）にレーンジングチャネルを割り当て、前記レーンジングチャネルを送信することを含み、前記レーンジングチャネルの周波数リソース割当情報は、端末が属するセルＩＤ及び前記リソース領域に割り当てられたサブバンドの個数または割り当てられたサブバンドＣＲＵ（Ｃｏｎｔｉｇｕｏｕｓ  Ｒｅｓｏｕｒｃｅ  Ｕｎｉｔ）の個数を含む。前記レーンジングサブバンドは、ＩＳＢ＝ｍｏｄ（ｃｅｌｌＩＤ，ＸＳＢ）の数式により計算されたインデックスを有するサブバンドである。ＩＳＢは、リソース領域上のサブバンドのインデックス（０，…，ＸＳＢ−１）であり、ｃｅｌｌＩＤは、前記端末が属するＩＤであり、ＸＳＢは、前記リソース領域に割り当てられたサブバンドの個数または前記割り当てられたサブバンドＣＲＵの個数である。前記ｃｅｌｌＩＤは、０乃至７６７のうちいずれか一つの整数である。前記リソース領域に割り当てられたサブバンドの個数または前記割り当てられたサブバンドＣＲＵの個数は、ブロードキャスト（ｂｒｏａｄｃａｓｔ）されたり、或いは他の信号により指示される。前記リソース領域に割り当てられたサブバンドの個数は、システムの帯域幅に応じて可変する。前記レーンジングサブバンドは、隣接した複数の物理リソースユニット（ＰＲＵ；Ｐｈｙｓｉｃａｌ  Ｒｅｓｏｕｒｃｅ  Ｕｎｉｔ）を含む。前記隣接した複数のＰＲＵの個数は、４個である。
本願明細書は、例えば、以下の項目も提供する。
（項目１）
無線通信システムにおけるレーンジングチャネル送信装置において、
プロセッサ；及び、
前記プロセッサと連結され、レーンジングチャネルの周波数リソース割当情報を受信し、前記レーンジングチャネルを送信するＲＦ部；を含み、
前記プロセッサは、前記レーンジングチャネルの周波数リソース割当情報に基づいて決定されたリソース領域上の一つのレーンジングサブバンド（ｒａｎｇｉｎｇ  ｓｕｂｂａｎｄ）にレーンジングチャネル（ｒａｎｇｉｎｇ  ｃｈａｎｎｅｌ）を割り当て、
前記レーンジングチャネルの周波数リソース割当情報は、端末が属するセルＩＤ及び割り当てられたサブバンドの個数または割り当てられたサブバンドＣＲＵ（Ｃｏｎｔｉｇｕｏｕｓ  Ｒｅｓｏｕｒｃｅ  Ｕｎｉｔ）の個数を含むことを特徴とする装置。
（項目２）
前記レーンジングサブバンドは、以下の数式により計算されたインデックスを有するサブバンドであることを特徴とする項目１に記載の装置。
ＩＳＢ＝ｍｏｄ（ｃｅｌｌＩＤ，ＸＳＢ）
ＩＳＢは、リソース領域上のサブバンドのインデックス（０，…，ＸＳＢ−１）である。ｃｅｌｌＩＤは、前記端末が属するセルＩＤである。ＸＳＢは、前記割り当てられたサブバンドの個数または前記割り当てられたサブバンドＣＲＵの個数である。ｍｏｄ（ｃｅｌｌＩＤ，ＸＳＢ）は、セルＩＤをＸＳＢで割ることにより得られる残りである。
（項目３）
前記ｃｅｌｌＩＤは、０乃至７６７のうちいずれか一つの整数であることを特徴とする項目２に記載の装置。
（項目４）
前記割り当てられたサブバンドの個数または前記割り当てられたサブバンドＣＲＵの個数は、ブロードキャスト（ｂｒｏａｄｃａｓｔ）されたり、或いは他の信号により指示されることを特徴とする項目１に記載の装置。
（項目５）
前記割り当てられたサブバンドの個数は、システムの帯域幅に応じて可変することを特徴とする項目１に記載の装置。
（項目６）
前記レーンジングサブバンドは、隣接した複数の物理リソースユニット（ＰＲＵ；Ｐｈｙｓｉｃａｌ  Ｒｅｓｏｕｒｃｅ  Ｕｎｉｔ）を含むことを特徴とする項目１に記載の装置。
（項目７）
前記隣接した複数のＰＲＵの個数は、４個であることを特徴とする項目６に記載の装置。
（項目８）
無線通信システムにおけるレーンジングチャネル送信方法において、
レーンジングチャネルの周波数リソース割当情報を受信し、
前記レーンジングチャネルの周波数リソース割当情報に基づいて決定されたリソース領域上の一つのレーンジングサブバンド（ｒａｎｇｉｎｇ  ｓｕｂｂａｎｄ）にレーンジングチャネルを割り当て、
前記レーンジングチャネルを送信することを含み、
前記レーンジングチャネルの周波数リソース割当情報は、端末が属するセルＩＤ及び割り当てられたサブバンドの個数または割り当てられたサブバンドＣＲＵ（Ｃｏｎｔｉｇｕｏｕｓ  Ｒｅｓｏｕｒｃｅ  Ｕｎｉｔ）の個数を含むことを特徴とする方法。
（項目９）
前記レーンジングサブバンドは、以下の数式により計算されたインデックスを有するサブバンドであることを特徴とする項目８に記載の方法。
ＩＳＢ＝ｍｏｄ（ｃｅｌｌＩＤ，ＸＳＢ）
ＩＳＢは、リソース領域上のサブバンドのインデックス（０，…，ＸＳＢ−１）である。ｃｅｌｌＩＤは、前記端末が属するセルＩＤである。ＸＳＢは、前記割り当てられたサブバンドの個数または前記割り当てられたサブバンドＣＲＵの個数である。ｍｏｄ（ｃｅｌｌＩＤ，ＸＳＢ）はセルＩＤをＸＳＢで割ることにより得られる残りである。
（項目１０）
前記ｃｅｌｌＩＤは、０乃至７６７のうちいずれか一つの整数であることを特徴とする項目９に記載の方法。
（項目１１）
前記割り当てられたサブバンドの個数または前記割り当てられたサブバンドＣＲＵの個数は、ブロードキャスト（ｂｒｏａｄｃａｓｔ）されたり、或いは他の信号により指示されることを特徴とする項目８に記載の方法。
（項目１２）
前記割り当てられたサブバンドの個数は、システムの帯域幅に応じて可変することを特徴とする項目８に記載の方法。
（項目１３）
前記レーンジングサブバンドは、隣接した複数の物理リソースユニット（ＰＲＵ；Ｐｈｙｓｉｃａｌ  Ｒｅｓｏｕｒｃｅ  Ｕｎｉｔ）を含むことを特徴とする項目８に記載の方法。
（項目１４）
前記隣接した複数のＰＲＵの個数は、４個であることを特徴とする項目１３に記載の方法。
【発明の効果】
【００１０】
リソース領域がサブバンド（ＳＢ；ｓｕｂｂａｎｄ）とミニバンド（ＭＢ；ｍｉｎｉｂａｎｄ）とに分けられ、また、複数の周波数パーティションに分けられる時、別途のシグナリング無しにレーンジングチャネルが割り当てられるレーンジングチャネルリソースのサブバンドインデックスが決定されることができる。
【図面の簡単な説明】
【００１１】
【図１】無線通信システムを示す。
【図２】本発明の実施例が具現される端末を示すブロック図である。
【図３】フレーム構造の一例を示す。
【図４】全体周波数帯域を複数の周波数パーティションに分割する方法の例を示す。
【図５】ＦＦＲ技法が使われるセルラーシステムの一例を示す。
【図６】アップリンクリソース構造の一例を示す。
【図７】サブバンドパーティショニング過程の一例を示す。
【図８】ミニバンドパーミュテイション過程の一例を示す。
【図９】周波数パーティショニング過程の一例を示す。
【図１０】提案されたレーンジングチャネル送信方法の一実施例を示す。
【図１１】レーンジングチャネルのために割り当てられた物理サブバンドがサブバンドＣＲＵに割り当てられる場合を示す。
【図１２】提案されたレーンジングチャネル送信方法によるリソース領域の一例を示す。
【図１３】レーンジングチャネルのために割り当てられた物理サブバンドがミニバンドＣＲＵに割り当てられる場合を示す。
【図１４】提案された発明によるレーンジングチャネルリソース割当の一例を示す。
【発明を実施するための形態】
【００１２】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などのような多様な無線通信システムに使われることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）で具現されることができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術で具現されることができる。ＯＦＤＭＡは、ＩＥＥＥ８０２．１１（Ｗｉ−Ｆｉ）、ＩＥＥＥ８０２．１６（ＷｉＭＡＸ）、ＩＥＥＥ８０２−２０、Ｅ−ＵＴＲＡ（Ｅｖｏｌｖｅｄ  ＵＴＲＡ）などのような無線技術で具現されることができる。ＩＥＥＥ８０２．１６ｍは、ＩＥＥＥ８０２．１６ｅの進化であり、ＩＥＥＥ８０２．１６ｅに基づくシステムとの下位互換性（ｂａｃｋｗａｒｄ  ｃｏｍｐａｔｉｂｉｌｉｔｙ）を提供する。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）は、Ｅ−ＵＴＲＡ（Ｅｖｏｌｖｅｄ−ＵＭＴＳ  Ｔｅｒｒｅｓｔｒｉａｌ  Ｒａｄｉｏ  Ａｃｃｅｓｓ）を使用するＥ−ＵＭＴＳ（Ｅｖｏｌｖｅｄ  ＵＭＴＳ）の一部であり、ダウンリンクでＯＦＤＭＡを採用し、アップリンクでＳＣ−ＦＤＭＡを採用する。ＬＴＥ−Ａ（Ａｄｖａｎｃｅｄ）は、３ＧＰＰ  ＬＴＥの進化である。
【００１３】
説明を明確にするために、ＩＥＥＥ８０２．１６ｍを中心に記述するが、本発明の技術的思想はこれに制限されるものではない。
【００１４】
図１は、無線通信システムを示す。
【００１５】
無線通信システム１０は、少なくとも一つの基地局（Ｂａｓｅ  Ｓｔａｔｉｏｎ；ＢＳ）１１を含む。各基地局１１は、特定の地理的領域（一般的にセルという）１５ａ、１５ｂ、１５ｃに対して通信サービスを提供する。また、セルは複数の領域（セクターという）に分けられる。端末（Ｕｓｅｒ  Ｅｑｕｉｐｍｅｎｔ；ＵＥ）１２は、固定されたり移動性を有することができ、ＭＳ（Ｍｏｂｉｌｅ  Ｓｔａｔｉｏｎ）、ＭＴ（Ｍｏｂｉｌｅ  Ｔｅｒｍｉｎａｌ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、無線機器（ｗｉｒｅｌｅｓｓ  ｄｅｖｉｃｅ）、ＰＤＡ（Ｐｅｒｓｏｎａｌ  Ｄｉｇｉｔａｌ  Ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）等、他の用語で呼ばれることができる。基地局１１は、一般的に端末１２と通信する固定局（ｆｉｘｅｄ  ｓｔａｔｉｏｎ）を意味し、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることができる。
【００１６】
端末は、一つのセルに属し、端末が属するセルをサービングセル（ｓｅｒｖｉｎｇ  ｃｅｌｌ）という。サービングセルに対して通信サービスを提供する基地局をサービング基地局（ｓｅｒｖｉｎｇ  ＢＳ）という。無線通信システムは、セルラーシステム（ｃｅｌｌｕｌａｒ  ｓｙｓｔｅｍ）であるため、サービングセルに隣接した他のセルが存在する。サービングセルに隣接した他のセルを隣接セル（ｎｅｉｇｈｂｏｒ  ｃｅｌｌ）という。隣接セルに対して通信サービスを提供する基地局を隣接基地局（ｎｅｉｇｈｂｏｒ  ＢＳ）という。サービングセル及び隣接セルは端末を基準に相対的に決定される。
【００１７】
この技術は、ダウンリンク（ｄｏｗｎｌｉｎｋ）またはアップリンク（ｕｐｌｉｎｋ）に使われることができる。一般的に、ダウンリンクは基地局１１から端末１２への通信を意味し、アップリンクは端末１２から基地局１１への通信を意味する。ダウンリンクで、送信機は基地局１１の一部分であり、受信機は端末１２の一部分である。アップリンクで、送信機は端末１２の一部分であり、受信機は基地局１１の一部分である。
【００１８】
図２は、本発明の実施例が具現される端末を示すブロック図である。端末９００は、プロセッサ（ｐｒｏｃｅｓｓｏｒ）９１０、メモリ（ｍｅｍｏｒｙ）９２０、及びＲＦ部（Ｒａｄｉｏ  ｆｒｅｑｕｅｎｃｙ  ｕｎｉｔ）９３０を含む。
【００１９】
ＲＦ部９３０は、プロセッサ９１０と連結され、基地局からレーンジングチャネルの周波数リソース割当情報を受信し、レーンジングチャネルを送信する。プロセッサ９１０は、提案された機能、過程及び／または方法を具現する。プロセッサが提案された機能または方法を具現する実施例は後述する。プロセッサ９１０は、前記レーンジングチャネルの周波数リソース割当情報に基づいて決定されたリソース領域上の一つのレーンジングサブバンド（ｒａｎｇｉｎｇ  ｓｕｂｂａｎｄ）にレーンジングチャネル（ｒａｎｇｉｎｇ  ｃｈａｎｎｅｌ）を割り当てる。前記レーンジングチャネルの周波数リソース割当情報は、端末が属するセルＩＤ及び前記リソース領域に割り当てられたサブバンドの個数または割り当てられたサブバンドＣＲＵ（Ｃｏｎｔｉｇｕｏｕｓ  Ｒｅｓｏｕｒｃｅ  Ｕｎｉｔ）の個数を含むことができる。メモリ９２０は、プロセッサ９１０と連結され、プロセッサ９１０を駆動するための多様な情報を格納する。
【００２０】
前記ＲＦ部９３０は、前記レーンジングチャネルを送信するために、エンコーダ（ｅｎｃｏｄｅｒ）、プリコーダ（ｐｒｅｃｏｄｅｒ）、副搬送波マッパ、ＯＦＤＭ信号発生器を含むことができる。エンコーディング部は、送信しようとするデータ列を決められたコーディング方式によってエンコーディングして符号化されたデータを形成し、符号化されたデータを変調してコンステレーション（ｃｏｎｓｔｅｌｌａｔｉｏｎ）上の位置を表現するシンボルに配置する。変調方式（ｍｏｄｕｌａｔｉｏｎ  ｓｃｈｅｍｅ）には制限がない。プリコーダは、入力シンボルを多重送信アンテナによるＭＩＭＯ方式に処理してアンテナ特定シンボルを出力し、前記アンテナ特定シンボルを該当副搬送波マッパに分配する。副搬送波マッパは、各アンテナ特定シンボルを副搬送波に割り当て、ユーザによって多重化する。ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）信号発生器は、各アンテナ特定シンボルをＯＦＤＭ方式に変調してＯＦＤＭシンボルを出力する。
【００２１】
図３は、フレーム構造の一例を示す。
【００２２】
図３を参照すると、スーパーフレーム（ＳＦ；Ｓｕｐｅｒｆｒａｍｅ）は、スーパーフレームヘッダ（ＳＦＨ；Ｓｕｐｅｒｆｒａｍｅ  Ｈｅａｄｅｒ）と４個のフレーム（ｆｒａｍｅ；Ｆ０、Ｆ１、Ｆ２、Ｆ３）を含む。スーパーフレーム内の各フレームの長さは全部同じである。各スーパーフレームの長さは２０ｍｓであり、各フレームの長さは５ｍｓであると例示しているが、これに限定されるものではない。スーパーフレームの長さ、スーパーフレームに含まれるフレームの数、フレームに含まれるサブフレームの数等は多様に変更されることができる。フレームに含まれるサブフレームの数は、チャネル帯域幅（ｃｈａｎｎｅｌ  ｂａｎｄｗｉｄｔｈ）、ＣＰ（Ｃｙｃｌｉｃ  Ｐｒｅｐｉｘ）の長さによって多様に変更されることができる。
【００２３】
スーパーフレームヘッダは、必須システムパラメータ（ｅｓｓｅｎｔｉａｌ  ｓｙｓｔｅｍ  ｐａｒａｍｅｔｅｒ）及びシステム設定情報（ｓｙｓｔｅｍ  ｃｏｎｆｉｇｕｒａｔｉｏｎ  ｉｎｆｏｒｍａｔｉｏｎ）を運ぶことができる。スーパーフレームヘッダは、スーパーフレーム内の最初のサブフレームに位置することができる。スーパーフレームヘッダは、１次ＳＦＨ（Ｐ−ＳＦＨ；ｐｒｉｍａｒｙ−ＳＦＨ）及び２次ＳＦＨ（Ｓ−ＳＦＨ；ｓｅｃｏｎｄａｒｙ−ＳＦＨ）に分類されることができる。Ｐ−ＳＦＨとＳ−ＳＦＨは、スーパーフレーム毎に送信されることができる。
【００２４】
一つのフレームは、複数のサブフレーム（ｓｕｂｆｒａｍｅ；ＳＦ０、ＳＦ１、ＳＦ２、ＳＦ３、ＳＦ４、ＳＦ５、ＳＦ６、ＳＦ７）を含む。各サブフレームは、アップリンクまたはダウンリンク送信のために使われることができる。一つのサブフレームは、時間領域（ｔｉｍｅ  ｄｏｍａｉｎ）で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、周波数領域（ｆｒｅｑｕｅｎｃｙ  ｄｏｍａｉｎ）で複数の副搬送波（ｓｕｂｃａｒｒｉｅｒ）を含む。ＯＦＤＭシンボルは、一つのシンボル区間（ｓｙｍｂｏｌ  ｐｅｒｉｏｄ）を表現するためのものであり、多重接続方式によってＯＦＤＭＡシンボル、ＳＣ−ＦＤＭＡシンボルなど、他の名称で呼ばれることができる。サブフレームは、５、６、７または９個のＯＦＤＭシンボルで構成されることができるが、これは例示に過ぎず、サブフレームに含まれるＯＦＤＭシンボルの数は制限されない。サブフレームに含まれるＯＦＤＭシンボルの数は、チャネル帯域幅、ＣＰの長さによって多様に変更されることができる。サブフレームが含むＯＦＤＭシンボルの数によってサブフレームのタイプ（ｔｙｐｅ）が定義されることができる。例えば、タイプ−１サブフレームは６ＯＦＤＭシンボル、タイプ−２サブフレームは７ＯＦＤＭシンボル、タイプ−３サブフレームは５ＯＦＤＭシンボル、タイプ−４サブフレームは９ＯＦＤＭシンボルを含むと定義されることができる。一つのフレームは全部同じタイプのサブフレームを含むことができる。または、一つのフレームは互いに異なるタイプのサブフレームを含むことができる。即ち、一つのフレーム内の各サブフレーム毎に含むＯＦＤＭシンボルの個数は全部同じ、或いは異なる。または、一つのフレーム内の少なくとも一つのサブフレームのＯＦＤＭシンボルの個数は、前記フレーム内の残りのサブフレームのＯＦＤＭシンボルの個数と異なる。
【００２５】
フレームには、ＴＤＤ（Ｔｉｍｅ  Ｄｉｖｉｓｉｏｎ  Ｄｕｐｌｅｘｉｎｇ）方式またはＦＤＤ（Ｆｒｅｑｕｅｎｃｙ  Ｄｉｖｉｓｉｏｎ  Ｄｕｐｌｅｘｉｎｇ）方式が適用されることができる。ＴＤＤ方式で、各サブフレームが同じ周波数で互いに異なる時間にアップリンク送信またはダウンリンク送信のために使われる。即ち、ＴＤＤ方式のフレーム内のサブフレームは、時間領域でアップリンクサブフレームとダウンリンクサブフレームに区分される。ＦＤＤ方式で、各サブフレームが同じ時間の互いに異なる周波数でアップリンク送信またはダウンリンク送信のために使われる。即ち、ＦＤＤ方式のフレーム内のサブフレームは、周波数領域でアップリンクサブフレームとダウンリンクサブフレームに区分される。アップリンク送信とダウンリンク送信は、互いに異なる周波数帯域を占め、同時に行われることができる。
【００２６】
サブフレームは、周波数領域に複数の物理リソースユニット（ＰＲＵ；Ｐｈｙｓｉｃａｌ  Ｒｅｓｏｕｒｃｅ  Ｕｎｉｔ）を含む。ＰＲＵは、リソース割当のための基本物理的単位であり、時間領域で連続的な（ｃｏｎｓｅｃｕｔｉｖｅ）複数のＯＦＤＭシンボル、周波数領域で連続的な複数の副搬送波で構成される。ＰＲＵに含まれるＯＦＤＭシンボルの個数は、一つのサブフレームに含まれるＯＦＤＭシンボルの個数と同じである。従って、ＰＲＵ内のＯＦＤＭシンボルの個数はサブフレームのタイプによって決定されることができる。例えば、一つのサブフレームが６ＯＦＤＭシンボルで構成される時、ＰＲＵは１８副搬送波及び６ＯＦＤＭシンボルで定義されることができる。
【００２７】
論理リソースユニット（ＬＲＵ；Ｌｏｇｉｃａｌ  Ｒｅｓｏｕｒｃｅ  Ｕｎｉｔ）は、分散的（ｄｉｓｔｒｉｂｕｔｅｄ）リソース割当及び連続的（ｃｏｎｔｉｇｕｏｕｓ）リソース割当のための基本的な論理単位である。ＬＲＵは、複数のＯＦＤＭシンボルと複数の副搬送波で定義され、ＰＲＵで使われるパイロットを含む。従って、一つのＬＲＵでの適切な副搬送波の個数は割り当てられたパイロットの数に依存する。
【００２８】
分散的論理リソースユニット（ＤＬＲＵ；Ｄｉｓｔｒｉｂｕｔｅｄ  Ｌｏｇｉｃａｌ  Ｒｅｓｏｕｒｃｅ  Ｕｎｉｔ）は、周波数ダイバーシティ利得を得るために使われることができる。ＤＲＵは、一つの周波数パーティション内に分散された副搬送波グループを含む。ＤＲＵを形成する最小単位は一つの副搬送波である。
【００２９】
連続的論理リソースユニット（ＣＬＲＵ；Ｃｏｎｔｉｇｕｏｕｓ  Ｌｏｇｉｃａｌ  Ｒｅｓｏｕｒｃｅ  Ｕｎｉｔ）は、周波数選択的スケジューリング利得を得るために使われることができる。ＣＲＵは局部的副搬送波グループを含む。
【００３０】
一方、多重セル（ｍｕｌｔｉ−ｃｅｌｌ）が存在するセルラーシステムで部分的周波数再使用（ＦＦＲ；Ｆｒａｃｔｉｏｎａｌ  Ｆｒｅｑｕｅｎｃｙ  Ｒｅｕｓｅ）技法が使われることができる。ＦＦＲ技法は、全体周波数帯域を複数の周波数パーティション（ＦＰ；Ｆｒｅｑｕｅｎｃｙ  Ｐａｒｔｉｔｉｏｎ）に分割し、各々のセルに周波数パーティションを割り当てる技法である。ＦＦＲ技法を介して隣接したセル間には互いに異なる周波数パーティションが割り当てられ、遠く離れたセル間には同じ周波数パーティションが割り当てられることができる。従って、セル間干渉（ＩＣＩ；Ｉｎｔｅｒ−Ｃｅｌｌ  Ｉｎｔｅｒｆｅｒｅｎｃｅ）が減ることができ、セルエッジの端末の性能を高めることができる。
【００３１】
図４は、全体周波数帯域を複数の周波数パーティションに分割する方法の例を示す。
【００３２】
図４を参照すると、全体周波数帯域は、第１の周波数パーティション（ＦＰ０）、第２の周波数パーティション（ＦＰ１）、第３の周波数パーティション（ＦＰ２）、及び第４の周波数パーティション（ＦＰ３）に分割される。各周波数パーティションは、全体周波数帯域から論理的（ｌｏｇｉｃａｌ）及び／または物理的（ｐｈｙｓｉｃａｌ）に分割されることができる。
【００３３】
図５は、ＦＦＲ技法が使われるセルラーシステムの一例を示す。
【００３４】
図５を参照すると、各セルはセル内部（ｉｎｎｅｒ  ｃｅｌｌ）及びセルエッジ（ｃｅｌｌ  ｅｄｇｅ）に区分される。また、各セルは３個のセクターに分けられる。全体周波数帯域は、４個の周波数パーティション（ＦＰ０、ＦＰ１、ＦＰ２、ＦＰ３）に分割される。
【００３５】
セル内部には第１の周波数パーティション（ＦＰ０）を割り当てる。セルエッジの各セクターには第２の周波数パーティション（ＦＰ１）乃至第４の周波数パーティション（ＦＰ３）のうちいずれか一つを割り当てる。この時、隣接したセル間には互いに異なる周波数パーティションが割り当てられるようにする。以下、割り当てられた周波数パーティションを活性（ａｃｔｉｖｅ）周波数パーティションといい、割当を受けることができない周波数パーティションを非活性（ｉｎａｃｔｉｖｅ）周波数パーティションという。例えば、第２の周波数パーティション（ＦＰ１）が割り当てられた場合、第２の周波数パーティションは活性周波数パーティションであり、第３の周波数パーティション（ＦＰ２）及び第４の周波数パーティション（ＦＰ３）は非活性周波数パーティションである。
【００３６】
周波数再使用係数（ＦＲＦ；Ｆｒｅｑｕｅｎｃｙ  Ｒｅｕｓｅ  Ｆａｃｔｏｒ）は、全体周波数帯域を何個のセル（またはセクター）に分けることができるかによって定義されることができる。この場合、セル内部の周波数再使用係数は１であり、セルエッジの各セクターの周波数再使用係数は３である。
【００３７】
図６は、アップリンクリソース構造の一例を示す。
【００３８】
図６を参照すると、アップリンクサブフレームは、少なくとも一つの周波数パーティションに分けられることができる。ここで、サブフレームが２個の周波数パーティション（ＦＰ１、ＦＰ２）に分けられることを例示的に記述するが、サブフレーム内の周波数パーティションの数がこれに制限されるものではない。周波数パーティションの個数は最大４個である。各周波数パーティションは、ＦＦＲのような他の目的のために使われることができる。
【００３９】
各周波数パーティションは、少なくとも一つのＰＲＵで構成される。各周波数パーティションは、分散されたリソース割当（ｄｉｓｔｒｉｂｕｔｅｄ  ｒｅｓｏｕｒｃｅ  ａｌｌｏｃａｔｉｏｎ）及び／または連続されたリソース割当（ｃｏｎｔｉｇｕｏｕｓ  ｒｅｓｏｕｒｃｅ  ａｌｌｏｃａｔｉｏｎ）を含むことができる。前記分散されたリソース割当はＤＬＲＵであり、前記連続されたリソース割当はＣＬＲＵである。ここで、第２の周波数パーティション（ＦＰ２）は、分散されたリソース割当及び連続されたリソース割当を含む。‘Ｓｃ’は副搬送波を意味する。
【００４０】
複数のセルが存在する時、アップリンクリソースは、サブバンドパーティショニング（ｓｕｂｂａｎｄ  ｐａｒｔｉｔｉｏｎｉｎｇ）、ミニバンドパーミュテイション（ｍｉｎｉｂａｎｄ  ｐｅｒｍｕｔａｔｉｏｎ）、周波数パーティショニング（ｆｒｅｑｕｅｎｃｙ  ｐａｒｔｉｔｉｏｎｉｎｇ）などの過程を経てマッピングされることができる。
【００４１】
まず、サブバンドパーティショニング過程を説明する。
【００４２】
図７は、サブバンドパーティショニング過程の一例を示す。図７は、帯域幅が５Ｍｈｚである場合のサブバンドパーティショニング過程を示す。
【００４３】
複数のＰＲＵは、サブバンド（ＳＢ；ｓｕｂｂａｎｄ）とミニバンド（ＭＢ；ｍｉｎｉｂａｎｄ）に分けられる。図７（ａ）で複数のＰＲＵがサブバンドに割り当てられ、図７（ｂ）で複数のＰＲＵがミニバンドに割り当てられる。サブバンドはＮ１個の隣接したＰＲＵを含み、ミニバンドはＮ２個の隣接したＰＲＵを含む。Ｎ１＝４、Ｎ２＝１である。サブバンドは周波数領域で連続されたＰＲＵが割り当てられるため、周波数選択的リソース割当に適する。ミニバンドは周波数分散的リソース割当に適し、周波数領域でパーミュテイションされることができる。
【００４４】
サブバンドの個数はＫＳＢで表すことができる。サブバンドに割り当てられるＰＲＵの個数はＬＳＢで表すことができ、ＬＳＢ＝Ｎ１＊ＫＳＢである。ＫＳＢは帯域幅によって変わることができる。ＫＳＢは、アップリンクサブバンド割当カウント（ＵＳＡＣ；Ｕｐｌｉｎｋ  Ｓｕｂｂａｎｄ  Ａｌｌｏｃａｔｉｏｎ  Ｃｏｕｎｔ）により決定されることができる。ＵＳＡＣの長さは３ビット乃至５ビットであり、ＳＦＨ等を介してブロードキャスト（ｂｒｏａｄｃａｓｔ）されることができる。サブバンドに割り当てられた後の残ったＰＲＵは、ミニバンドに割り当てられる。ミニバンドの個数はＫＭＢで表すことができる。ミニバンドに割り当てられるＰＲＵの個数はＬＭＢで表すことができ、ＬＭＢ＝Ｎ２＊ＫＭＢである。リソース領域で形成されることができる最大サブバンドの個数は、
【化１】
0005289615.tif 000002
であり、ＰＲＵの総個数は、ＮＰＲＵ＝ＬＳＢ＋ＬＭＢである。
【００４５】
表１は、帯域幅が２０ＭＨｚの時、ＵＳＡＣとＫＳＢの関係の一例を示す。帯域幅が２０ＭＨｚの時、ＦＦＴ大きさは２０４８である。
【００４６】
【表１】
0005289615.tif 000003
【００４７】
表２は、帯域幅が１０ＭＨｚの時、ＵＳＡＣとＫＳＢの関係の一例を示す。帯域幅が１０ＭＨｚの時、ＦＦＴ大きさは１０２４である。
【００４８】
【表２】
0005289615.tif 000004
【００４９】
表３は、帯域幅が５ＭＨｚの時、ＵＳＡＣとＫＳＢの関係の一例を示す。帯域幅が５ＭＨｚの時、ＦＦＴ大きさは５１２である。
【００５０】
【表３】
0005289615.tif 000005
【００５１】
複数のＰＲＵは、サブバンドとミニバンドに分けられ、サブバンドＰＲＵ（ＰＲＵＳＢ）とミニバンドＰＲＵ（ＰＲＵＭＢ）内で再配列される。ＰＲＵＳＢ内のＰＲＵは、各々０〜（ＬＳＢ−１）のうちいずれか一つでインデキシングされ、ＰＲＵＭＢ内のＰＲＵは、各々０〜（ＬＭＢ−１）のうちいずれか一つでインデキシングされる。
【００５２】
図８は、ミニバンドパーミュテイション過程の一例を示す。ミニバンドパーミュテイション過程でＰＲＵＭＢはパーミュテイションＰＲＵ（ＰＰＲＵＭＢ）にマッピングされる。これは各周波数パーティションで周波数ダイバーシティを保障するためである。図８は、帯域幅が５ＭＨｚの時、前記図７のサブバンドパーティショニング過程に続いて実行されることができる。ＰＲＵＭＢ内のＰＲＵはパーミュテイションされ、ＰＰＲＵＭＢにマッピングされる。
【００５３】
図９は、周波数パーティショニング過程の一例を示す。図９は、帯域幅が５ＭＨｚの時、前記図７のサブバンドパーティショニング過程と前記図８のミニバンドパーミュテイション過程に続いて実行されることができる。
【００５４】
ＰＲＵＳＢとＰＰＲＵＭＢのＰＲＵは、少なくとも一つの周波数パーティションに割り当てられる。周波数パーティションの個数は最大４個である。周波数パーティション構成情報は、アップリンク周波数パーティション構成（ＵＦＰＣ；Ｕｐｌｉｎｋ  Ｆｒｅｑｕｅｎｃｙ  Ｐａｒｔｉｔｉｏｎ  Ｃｏｎｆｉｇｕｒａｔｉｏｎ）により決定されることができる。ＵＦＰＣは、帯域幅に応じて構成が変わることができ、Ｓ−ＳＦＨ等を介してブロードキャストされることができる。ＵＦＰＣは、周波数パーティションの大きさ、周波数パーティションの個数などを指示することができる。周波数パーティションカウント（ＦＰＣＴ；Ｆｒｅｑｕｅｎｃｙ  Ｐａｒｔｉｔｉｏｎ  Ｃｏｕｎｔ）は周波数パーティションの個数を示す。ＦＰＳｉはｉ番目の周波数パーティション（ＦＰｉ）に割り当てられるＰＲＵの個数を示す。また、アップリンク周波数パーティションサブバンドカウント（ＵＦＰＳＣ；Ｕｐｌｉｎｋ  Ｆｒｅｑｕｅｎｃｙ  Ｐａｒｔｉｔｉｏｎ  Ｓｕｂｂａｎｄ  Ｃｏｕｎｔ）はＦＰｉ（ｉ＞０）に割り当てられるサブバンドの個数を定義する。ＵＦＰＳＣは１ビット乃至３ビットの長さを有することができる。
【００５５】
表４は、帯域幅が２０ＭＨｚの時、ＵＦＰＣと周波数パーティションの関係の一例を示す。帯域幅が２０ＭＨｚの時、ＦＦＴ大きさは２０４８である。
【００５６】
【表４】
0005289615.tif 000006
【００５７】
表５は、帯域幅が１０ＭＨｚの時、ＵＦＰＣと周波数パーティションの関係の一例を示す。帯域幅が１０ＭＨｚの時、ＦＦＴ大きさは１０２４である。
【００５８】
【表５】
0005289615.tif 000007
【００５９】
表６は、帯域幅が５ＭＨｚの時、ＵＦＰＣと周波数パーティションの関係の一例を示す。帯域幅が５ＭＨｚの時、ＦＦＴ大きさは５１２である。
【００６０】
【表６】
0005289615.tif 000008
【００６１】
ｉ番目の周波数パーティション内のサブバンドとミニバンドの個数であるＫＳＢ，ＦＰｉとＫＭＢ，ＦＰｉは、数式１により各々決定されることができる。
【００６２】
【数１】
0005289615.tif 000009
【００６３】
各周波数パーティションで、サブバンドＰＲＵの個数はＬＳＢ，ＦＰｉ＝Ｎ１＊ＫＳＢ，ＦＰｉであり、ミニバンドＰＲＵの個数はＬＭＢ，ＦＰｉ＝Ｎ２＊ＫＭＢ，ＦＰｉである。
【００６４】
ＰＲＵＳＢとＰＰＲＵＭＢ内のＰＲＵが各周波数パーティションにマッピングされる関係は、数式２により定義されることができる。
【００６５】
【数２】
0005289615.tif 000010
【００６６】
ただ、
【化２】
0005289615.tif 000011
であり、
【００６７】
【化３】
0005289615.tif 000012
である。
【００６８】
ＰＲＵＦＰｉのＰＲＵはＬＲＵにマッピングされることができる。以下、マッピング及びパーミュテイションは周波数パーティション内で実行されると制限される。
【００６９】
各周波数パーティションはＣＲＵとＤＲＵに分けられることができ、セクター基盤に実行されることができる。サブバンド基盤ＣＲＵの大きさを表すＵＣＡＳＳＢ，ｉは、ｉ番目の周波数パーティション（ＦＰｉ）のサブバンド基盤ＣＲＵの個数をサブバンド大きさ単位に  表し、ブロードキャストされることができる。ＵＣＡＳＭＢは、１番目の周波数パーティション（ＦＰ０）のミニバンド基盤ＣＲＵの個数を表し、また、ブロードキャストされることができる。各周波数パーティションのＣＲＵの個数は、ＬＣＲＵ，ＦＰｉで表すことができ、数式３のように表現されることができる。
【００７０】
【数３】
0005289615.tif 000013
【００７１】
各周波数パーティションのＤＲＵの個数は、ＬＤＲＵ，ＦＰｉで表すことができ、数式４のように表現されることができる。
【００７２】
【数４】
0005289615.tif 000014
【００７３】
ＰＲＵＦＰｉ内のＰＲＵは、数式５によりＣＲＵＦＰｉにマッピングされることができる。
【００７４】
【数５】
0005289615.tif 000015
【００７５】
数式５でｋ＝ｓ［ｊ−ＵＣＡＳＳＢ，ｉ＊Ｎ１］である。ｓ［］はＣＲＵ／ＤＲＵ割当シーケンスであり、０≦ｓ［ｊ］＜ＦＰＳｉ＊Ｎ２−ＵＣＡＳＳＢ，ｉ＊Ｎ１である。
【００７６】
ＰＲＵＦＰｉ内のＰＲＵは、数式６によりＤＲＵＦＰｉにマッピングされることができる。
【００７７】
【数６】
0005289615.tif 000016
【００７８】
ｋ＝ｓｃ［ｊ］であり、ｓｃ［］はＣＲＵに割り当てられない残りのＰＲＵを再配列して得たシーケンスである。
【００７９】
また、タイルパーミュテイション（ｔｉｌｅ  ｐｅｒｍｕｔａｔｉｏｎ）が実行されることができる。周波数パーティションの各ＤＲＵは、６個の隣接した副搬送波を含む３個のタイルに分けられることができる。周波数パーティション内の複数のタイルは、周波数ダイバーシティ利得を得るためにパーミュテイションされる。ＤＲＵの物理タイル（ｐｈｙｓｉｃａｌ  ｔｉｌｅ）をサブチャネル（ｓｕｂｃｈａｎｎｅｌ）の論理タイル（ｌｏｇｉｃａｌ  ｔｉｌｅ）に割り当てることは数式７により定義されることができる。
【００８０】
【数７】
0005289615.tif 000017
【００８１】
数式７でＴｉｌｅ（ｓ，ｎ，ｔ）はｔ番目のサブフレームのｓ番目のＤＬＲＵのｎ番目のタイルのタイルインデックスである。ｎは０乃至２のうちいずれか一つである。ｔはサブフレームインデックスである。ｓは０乃至ＬＤＲＵ，ＦＰｉ−１のうちいずれか一つの値を有するＤＬＲＵのインデックスである。ＰｅｒｍＳｅｑ（）は、長さがＬＤＲＵ，ＦＰｉであるパーミュテイションシーケンス（ｐｅｒｍｕｔａｔｉｏｎ  ｓｅｑｕｅｎｃｅ）であり、ＳＥＥＤ＝｛ＩＤｃｅｌｌ＊１３６７｝  ｍｏｄ  ２１０により決定されることができる。パーミュテイションシーケンスは、任意のシーケンス生成アルゴリズムにより生成されることができる。
【００８２】
（ＰｅｒｍＳｅｑ（），ｓ，ｎ，ｔ）＝｛ＰｅｒｍＳｅｑ［ｎ＋１０７＊ｓ＋ｔ］  ｍｏｄ  ＬＤＲＵ，ＦＰｉ｝＋ＵＬ＿ＰｅｒｍＢａｓｅ｝  ｍｏｄ  ＬＤＲＵ，ＦＰｉである。
【００８３】
アップリンク制御チャネルのうち特定制御チャネルは、周波数領域で一つ以上の隣接したＰＲＵに割り当てられなければならない場合がある。例えば、レーンジングチャネル（ｒａｎｇｉｎｇ  ｃｈａｎｎｅｌ）は、周波数領域で１個または２個のサブバンドに割り当てられることができる。また、特定チャネルの場合、隣接したセクターが同じ時間及び周波数リソースを使用する時、チャネル設計方法によって干渉による性能低下が減少することもでき、または増加することもできる。従って、複数の周波数パーティションが存在し、リソース領域にサブバンドとミニバンドが共に存在する時、レーンジングチャネルのような特定制御チャネルのためのリソース割当方法が要求される。即ち、隣接セクター間に時間または周波数領域が同じ、或いは重ならないように制御チャネルを割り当てるための方法が提案されることができる。
【００８４】
以下、提案されたレーンジングチャネル送信方法を実施例を介して説明する。本実施例では端末の初期接続（ｉｎｉｔｉａｌ  ａｃｃｅｓｓ）及びハンドオーバーのためのレーンジングチャネルを開示したが、これに制限されるものではなく、本発明は多様な種類の制御チャネルに適用されることができる。また、本実施例は、複数の周波数パーティションがある場合を仮定したが、周波数パーティションが１個である場合にも本発明が適用されることができる。
【００８５】
図１０は、提案されたレーンジングチャネル送信方法の一実施例を示す。
【００８６】
段階Ｓ１００で、端末はレーンジングチャネルの周波数リソース割当情報を受信する。段階Ｓ１１０で、端末は前記レーンジングチャネルの周波数リソース割当情報に基づいて決定されたリソース領域上の一つのレーンジングサブバンド（ｒａｎｇｉｎｇ  ｓｕｂｂａｎｄ）にレーンジングチャネルを割り当てる。
【００８７】
レーンジングチャネルのためのリソースとしてＮ（Ｎ≧１）個の隣接したサブバンドが割り当てられることができる。以下、説明の便宜のために、Ｎｓｕｂ個のサブバンドが存在すると仮定する。全体ＰＲＵの個数をＮＰＲＵとすると、Ｎｓｕｂ＝ＮＰＲＵ／Ｎ１である。例えば、帯域幅が１０ＭＨｚの場合、ＮＰＲＵ＝４８、Ｎｓｕｂ＝１２である。
【００８８】
レーンジングチャネルのためのリソースは、リソースマッピング過程でレーンジングチャネルのために予め留保（ｒｅｓｅｒｖｅ）されることができる。基地局は、レーンジングチャネルが割り当てられる物理サブバンドのインデックスを端末に送信することができる。物理サブバンドのインデックスは、リソースマッピング過程のうちサブバンドパーティショニングをする以前のＮｓｕｂ個のサブバンドに対するインデキシングを意味する。前記サブバンドインデックスはブロードキャストされることができる。予め決められた個数のサブバンドのインデックスまたは予め決められた特定規則による論理サブバンドのインデックスがブロードキャストされることができる。または、セルＩＤ、スーパーフレーム番号、フレーム番号、サブフレーム番号などに基づく予め指定された数式に基づいてリソースが割り当てられることができる。
【００８９】
端末は、レーンジングチャネルを送信するサブフレームでＮ個の隣接したサブバンドを優先的にレーンジングチャネルのために割り当て、Ｎｓｕｂ−Ｎ個の残りのサブバンドに対してリソースマッピングを実行することができる。即ち、全体ＰＲＵ個数がＮＰＲＵの時、レーンジングチャネルに割り当てられるＮ＊Ｎ１個のＰＲＵを除いたＮＰＲＵ−Ｎ＊Ｎ１個のＰＲＵに対してリソースマッピングを実行することができる。この時、基地局は、レーンジングチャネルが割り当てられるサブバンドをセル特定（ｃｅｌｌ−ｓｐｅｃｉｆｉｃ）に設定する場合、Ｎｓｕｂ−Ｎ個のサブバンドのリソース領域での位置がセル毎に異なるため、ＦＦＲ技法などの適用に制約がある。
【００９０】
または、レーンジングチャネルのためのサブバンドが別途に留保されず、レーンジングチャネルに割り当てられることができる。リソースマッピングを実行する時、レーンジングチャネルのために割り当てられた物理サブバンドと論理サブバンドのインデックスを知ることができるため、これに基づいてレーンジングチャネルリソースを除いてリソースマッピングを実行することができる。
【００９１】
図１１は、レーンジングチャネルのために割り当てられた物理サブバンドがサブバンドＣＲＵに割り当てられる場合を示す。即ち、各セルは、レーンジングチャネルを各セルが有するサブバンドＣＲＵに割り当てる。このような場合、レーンジングチャネルリソースは、リソースマッピング過程でそのまま維持されて論理リソースにマッピングされたり、或いはサブバンドＣＲＵのために割り当てられた論理領域にマッピングされることができる。レーンジングチャネルリソースは、リソースマッピングの実行時、残りのリソース間のパーミュテイションに何らの影響を与えない。レーンジングチャネルリソースを除いた残りのリソースは、論理領域で再びインデキシングされたり、或いはレーンジングチャネルのないサブフレームのようなインデックスを有することができる。
【００９２】
レーンジングチャネルを各セルのサブバンドＣＲＵに割り当てるにあたって、レーンジングチャネルリソースは、レーンジングチャネル構成情報（ｒａｎｇｉｎｇ  ｃｈａｎｎｅｌ  ｃｏｎｆｉｇｕｒａｔｉｏｎ  ｉｎｆｏｒｍａｔｉｏｎ）により割り当てられることができる。レーンジングチャネル構成情報は、レーンジングチャネルが割り当てられるリソース領域のうち時間領域に関する情報と周波数領域に関する情報を含むことができる。
【００９３】
表７は、レーンジングチャネルのための時間リソース割当構成情報の一例を示す。前記時間リソース割当構成情報は、ブロードキャストされることができる。
【００９４】
【表７】
0005289615.tif 000018
【００９５】
レーンジングチャネルの時間リソース割当に関する情報は、セルＩＤとＮ＿ＲＣＨにより決定されることができる。前記時間リソース割当に関する情報は、レーンジングチャネルが割り当てられるリソースのサブフレームインデックス、フレームインデックスまたはスーパーフレームインデックスのうちいずれか一つである。
【００９６】
数式８は、レーンジングチャネルが割り当てられるリソースのサブフレームインデックスを決定する数式の一例である。
【００９７】
【数８】
0005289615.tif 000019
【００９８】
ＩＳＦ（０，…，ｎＳＦ＊ｎＦ／Ｎ＿ＲＣＨ−１）は、１／Ｎ＿ＲＣＨのスーパーフレーム周期中にｎＳＦ＊ｎＦ／Ｎ＿ＲＣＨ−１個のサブフレームのうちレーンジングチャネルが割り当てられるリソースのサブフレームインデックスである。ｎＳＦは一つのフレーム内のサブフレームの個数であり、ｎＦは一つのスーパーフレーム内のフレームの個数である。ｆ（ＣｅｌｌＩＤ）はセルＩＤの関数である。セルＩＤは基地局ＩＤなどの他のパラメータに変えることができる。前記数式８によると、１／Ｎ＿ＲＣＨスーパーフレーム周期中にＩＳＦ番目のサブフレームが周期的にレーンジングチャネルに割り当てられる。例えば、ｎＳＦ＝８、ｎＦ＝４、Ｎ＿ＲＣＨ＝１／３の時、１個のスーパーフレームは３２個のサブフレームを含み、３個のスーパーフレームは９６個のサブフレームを含む。９６個のサブフレームのうちＩＳＦ番目のサブフレームは、３個のスーパーフレーム当たり一度ずつ周期的にレーンジングチャネルに割り当てられることができる。
【００９９】
数式９は、レーンジングチャネルが割り当てられるリソースのサブフレームインデックスを決定する数式の他の例である。
【０１００】
【数９】
0005289615.tif 000020
【０１０１】
ＩＳＦ（０，…，ｎＳＦ−１）は、１／Ｎ＿ＲＣＨのスーパーフレーム周期中にｎＳＦ−１個のサブフレームのうちレーンジングチャネルが割り当てられるリソースのサブフレームインデックスである。レーンジングチャネルが割り当てられるフレームの位置は、予め決められたり、或いはブロードキャストされることができる。前記数式１３によると、１／Ｎ＿ＲＣＨスーパーフレーム周期中に一つのフレーム内のＩＳＦ番目のサブフレームが周期的にレーンジングチャネルに割り当てられる。
【０１０２】
数式１０は、レーンジングチャネルが割り当てられるリソースのフレームインデックスを決定する数式の例である。
【０１０３】
【数１０】
0005289615.tif 000021
【０１０４】
ＩＦ（０，…，ｎＦ／Ｎ＿ＲＣＨ−１）は、１／Ｎ＿ＲＣＨのスーパーフレーム周期中にｎＦ／Ｎ＿ＲＣＨ−１個のフレームのうちレーンジングチャネルが割り当てられるリソースのフレームインデックスである。ＩＦ番目のフレーム内にレーンジングチャネルが割り当てられるサブフレームの位置は、予め決められたり、或いはブロードキャストされることができる。前記数式１４によると、１／Ｎ＿ＲＣＨスーパーフレーム周期中にＩＦ番目のフレーム内の一つのサブフレームが周期的にレーンジングチャネルに割り当てられる。
【０１０５】
数式１１は、レーンジングチャネルが割り当てられるリソースのスーパーフレームインデックスを決定する数式の例である。
【０１０６】
【数１１】
0005289615.tif 000022
【０１０７】
ＩＳｕｐｅｒＦ（０，…，／Ｎ＿ＲＣＨ−１）は、１／Ｎ＿ＲＣＨのスーパーフレーム周期中に１／Ｎ＿ＲＣＨ−１個のスーパーフレームのうちレーンジングチャネルが割り当てられるリソースのスーパーフレームインデックスである。ＩＳｕｐｅｒＦ番目のフレーム内にレーンジングチャネルが割り当てられるフレーム及びサブフレームの位置は、予め決められたり、或いはブロードキャストされることができる。前記数式１５によると、１／Ｎ＿ＲＣＨスーパーフレーム周期中にＩＳｕｐｅｒＦ番目のスーパーフレーム内に存在する一つのフレーム内の一つのサブフレームが周期的にレーンジングチャネルに割り当てられる。
【０１０８】
レーンジングチャネルの周波数リソース割当に関する情報は、セルＩＤと割り当てられたサブバンドの個数ＫＳＢまたは割り当てられたサブバンドＣＲＵの個数ＹＳＢにより決定されることができる。前記周波数リソース割当に関する情報は、レーンジングチャネルが割り当てられるリソースのサブバンドインデックスである。前記ＫＳＢまたはＹＳＢは、ブロードキャストされたり、或いは他の信号により指示されることができる。
【０１０９】
数式１２は、レーンジングチャネルが割り当てられるリソースのサブバンドインデックスを決定する数式の例である。
【０１１０】
【数１２】
0005289615.tif 000023
【０１１１】
ＩＳＢ（０，…，ＫＳＢ−１）は、ＫＳＢ個のサブバンドのうちレーンジングチャネルのためのリソースが割り当てられたサブバンドのインデックスである。
【０１１２】
数式１３は、レーンジングチャネルが割り当てられるリソースのインデックスを決定する数式の例である。
【０１１３】
【数１３】
0005289615.tif 000024
【０１１４】
Ｉｉｄｘ（０，…，ｎＳＦ＊ｎＦ／Ｎ＿ＲＣＨ＊ＫＳＢ−１）は、１／Ｎ＿ＲＣＨのスーパーフレーム周期中にｎＦ／Ｎ＿ＲＣＨ−１個のサブフレーム及びＫＳＢ個のサブバンドのうちレーンジングチャネルが割り当てられるリソースのインデックスである。
【０１１５】
数式１４は、レーンジングチャネルが割り当てられるリソースのインデックスを決定する数式の他の例である。
【０１１６】
【数１４】
0005289615.tif 000025
【０１１７】
Ｉｉｄｘ（０，…，ｎＳＦ＊ＫＳＢ−１）は、１／Ｎ＿ＲＣＨのスーパーフレーム周期中にｎＳＦ個のサブフレーム及びＫＳＢ個のサブバンドのうちレーンジングチャネルが割り当てられるリソースのインデックスである。
【０１１８】
前記数式１３または前記数式１４によりレーンジングチャネルが割り当てられるリソースのインデックスが決定された場合、レーンジングチャネルが割り当てられるサブフレームインデックス及びサブバンドインデックスは、数式１５により決定されることができる。
【０１１９】
【数１５】
0005289615.tif 000026
【０１２０】
レーンジングチャネルが割り当てられるフレームの位置は、予め決められたり、或いはブロードキャストされることができる。
【０１２１】
数式１６は、レーンジングチャネルが割り当てられるリソースのサブバンドインデックスを決定する数式の他の例である。
【０１２２】
【数１６】
0005289615.tif 000027
【０１２３】
Ｉｉｄｘ（０，…，ｎＦ／Ｎ＿ＲＣＨ＊ＫＳＢ−１）は、１／Ｎ＿ＲＣＨのスーパーフレーム周期中にｎＦ／Ｎ＿ＲＣＨ−１個のフレーム及びＫＳＢ個のサブバンドのうちレーンジングチャネルが割り当てられるリソースのインデックスである。
【０１２４】
前記数式１６によりレーンジングチャネルが割り当てられるリソースのインデックスが決定された場合、レーンジングチャネルが割り当てられるフレームインデックス及びサブバンドインデックスは、数式１７により決定されることができる。
【０１２５】
【数１７】
0005289615.tif 000028
【０１２６】
ＩＦ番目のフレーム内にレーンジングチャネルが割り当てられるサブフレームの位置は、予め決められたり、或いはブロードキャストされることができる。
【０１２７】
数式１８は、レーンジングチャネルが割り当てられるリソースのサブバンドインデックスを決定する数式の他の例である。
【０１２８】
【数１８】
0005289615.tif 000029
【０１２９】
Ｉｉｄｘ（０，…，ＫＳＢ／Ｎ＿ＲＣＨ−１）は、１／Ｎ＿ＲＣＨのスーパーフレーム周期中に１／Ｎ＿ＲＣＨ−１個のスーパーフレーム及びＫＳＢ個のサブバンドのうちレーンジングチャネルが割り当てられるリソースのインデックスである。
【０１３０】
前記数式１８によりレーンジングチャネルが割り当てられるリソースのインデックスが決定された場合、レーンジングチャネルが割り当てられるスーパーフレームインデックス及びサブバンドインデックスは、数式１９により決定されることができる。
【０１３１】
【数１９】
0005289615.tif 000030
【０１３２】
ＩＳｕｐｅｒＦ番目のスーパーフレーム内にレーンジングチャネルが割り当てられるフレーム及びサブフレームの位置は、予め決められたり、或いはブロードキャストされることができる。
【０１３３】
前述したレーンジングチャネルが割り当てられる周波数リソースまたは時間リソースのインデックスを決定する多様な数式でＮ＿ＲＣＨ＝１に設定することによって、レーンジングチャネルが割り当てられるスーパーフレームの位置を予め指定することができる。また、ｎＦ＝１に設定することによって、レーンジングチャネルが割り当てられるフレームの位置を予め指定することができる。また、ｎＳＦ＝１に設定することによって、レーンジングチャネルが割り当てられるサブフレームの位置を予め指定することができる。前述した多様な数式は多様な形態に組み合せが可能である。また、前記したように、サブバンドＣＲＵにのみレーンジングチャネルの割当を制限するとパーミュテイションに何らの影響を与えることができないため、前記の全ての数式に対して割り当てられたサブバンドの個数ＫＳＢを割り当てられたサブバンドＣＲＵの個数であるＹＳＢに変えることも可能である。
【０１３４】
また、図１０を参照すると、段階Ｓ１２０で、端末は前記レーンジングチャネルを基地局に送信する。
【０１３５】
図２の本発明の実施例が具現される端末は、図１０の本発明の実施例を用いて説明することができる。
【０１３６】
ＲＦ部９３０は、プロセッサ９１０と連結され、基地局からレーンジングチャネルの周波数リソース割当情報を受信し、レーンジングチャネルを送信する。プロセッサ９１０は、前記レーンジングチャネルの周波数リソース割当情報に基づいて決定されたリソース領域上の一つのレーンジングサブバンド（ｒａｎｇｉｎｇ  ｓｕｂｂａｎｄ）にレーンジングチャネル（ｒａｎｇｉｎｇ  ｃｈａｎｎｅｌ）を割り当てる。前記レーンジングチャネルの周波数リソース割当情報は、端末が属するセルＩＤ及び前記リソース領域に割り当てられたサブバンドの個数または割り当てられたサブバンドＣＲＵ（Ｃｏｎｔｉｇｕｏｕｓ  Ｒｅｓｏｕｒｃｅ  Ｕｎｉｔ）の個数を含むことができる。前記リソース領域に割り当てられたサブバンドの個数または前記割り当てられたサブバンドＣＲＵの個数は、ブロードキャスト（ｂｒｏａｄｃａｓｔ）されたり、或いは他の信号により指示され、前記リソース領域に割り当てられたサブバンドの個数はシステムの帯域幅に応じて可変する。
【０１３７】
前記レーンジングサブバンドは、ＩＳＢ＝ｍｏｄ（ｃｅｌｌＩＤ，ＸＳＢ）の数式により決定されるインデックスを有するサブバンドである。ＩＳＢは、リソース領域上のサブバンドのインデックス（０，…，ＸＳＢ−１）であり、ｃｅｌｌＩＤは、前記端末が属するセルＩＤであり、ＸＳＢは、割り当てられたサブバンドの個数または前記割り当てられたサブバンドＣＲＵの個数である。ｍｏｄ（ｃｅｌｌＩＤ，ＸＳＢ）は、セルＩＤをＸＳＢで割ることにより得られる残りである。前記ｃｅｌｌＩＤは、０乃至７６７のうちいずれか一つの整数である。
【０１３８】
図１２は、提案されたレーンジングチャネル送信方法によるリソース領域の一例を示す。
【０１３９】
図１２を参照すると、セルＡ、セルＢ、及びセルＣは、アップリンクのリソース領域でセル共通のサブバンド領域を有する。セル共通のサブバンド領域は、前記図７のサブバンドパーティショニングの過程を経てサブバンドＰＲＵ（ＰＲＵＳＢ）に割り当てられた領域である。また、各セル別にサブバンドＣＲＵ領域が割り当てられる。各セルに割り当てられたサブバンドＣＲＵ領域の大きさは異なる。セルＡとセルＢは２個のサブバンドＣＲＵを有し、セルＣは３個のサブバンドＣＲＵを有する。各セルのサブバンドＣＲＵ領域にレーンジングチャネル２００、２１０、２２０が割り当てられる。各セルに割り当てられるレーンジングチャネル２００、２１０、２２０は周波数領域で互いに重ならずにレーンジングチャネルを送信する。各セルでレーンジングチャネル２００、２１０、２２０に割り当てられるサブバンドＣＲＵは、前述した数式１６によってセルＩＤに基づいて決定されることができる。
【０１４０】
一方、レーンジングチャネルのためのリソースとしてミニバンドＣＲＵが割り当てられることができる。
【０１４１】
図１３は、レーンジングチャネルのために割り当てられた物理サブバンドがミニバンドＣＲＵに割り当てられる場合を示す。この場合、端末がレーンジングチャネルリソースをＤＲＵパーミュテイション過程で除くことができる。即ち、タイルパーミュテイション過程でレーンジングチャネルのためのミニバンドを除き、タイルパーミュテイションを実行することができる。
【０１４２】
周波数パーティションにレーンジングチャネルのための論理ミニバンドがｍ個存在すると、前記数式７は、数式２０のように修正されることができる。
【０１４３】
【数２０】
0005289615.tif 000031
【０１４４】
数式２０で、Ｔｉｌｅ（ｓ，ｎ，ｔ）は、ｔ番目のサブフレームのｓ番目のＤＬＲＵのｎ番目のタイルのタイルインデックスである。ｎは、０乃至２のうちいずれか一つである。ｔは、サブフレームインデックスである。ｓは、０乃至ＬＤＲＵ，ＦＰｉ−１−ｍのうちいずれか一つの値を有するＤＬＲＵのインデックスである。即ち、レーンジングチャネルに割り当てられるミニバンドＣＲＵを除いてタイルパーミュテイションが実行される。レーンジングチャネルリソースを除いた残りのリソースは論理領域で再びインデキシングされたり、或いはレーンジングチャネルのないサブフレームと同じインデックスを有することができる。
【０１４５】
前記のように、レーンジングチャネルリソースが別途に留保されない場合、ＦＦＲ技法などを適用して複数の周波数パーティションを運用することに何らの制約が発生されない。または、レーンジングチャネルのためのＮ個のサブバンドを留保する場合にもＦＦＲ技法を適用してセクター間リソースが互いに重ならないようにリソースを留保することができる。また、レーンジングチャネルリソースは、サブバンドＣＲＵまたはミニバンドＣＲＵのうちいずれか一つに制限されることができる。即ち、各セルが有するサブバンド基盤ＣＲＵ内でのみレーンジングチャネルを割り当てることができる。または、レーンジングチャネルリソースをリソースマッピング過程でミニバンドパーミュテイション過程のために留保されたサブバンドのうち一部に限定することができる。
【０１４６】
一方、サブバンドパーティショニング規則によって、サブバンドパーティショニング過程以前の物理リソースでのサブバンドのインデックスとサブバンドパーティショニング過程以後のサブバンドＰＲＵ（ＰＲＵＳＢ）に割り当てられたサブバンドのインデックスが互いに整列（ａｌｉｇｎｅｄ）されない場合がある。即ち、サブバンドがＮ１個のＰＲＵを含むと仮定する時、ＰＲＵＳＢに割り当てられたあるサブバンドを構成するＮ１個のＰＲＵは、物理リソース領域で互いに隣接しないＰＲＵである。例えば、図７におけるＰＲＵＳＢの０乃至３番目のＰＲＵは、物理リソースの４乃至７番目のＰＲＵの連続したリソースでない４、５、８、９番目のＰＲＵからマッピングされることができる。この場合、レーンジングチャネルは、物理リソースのサブバンドのうち該当物理リソースサブバンドに含まれるＰＲＵがサブバンドパーティショニング過程で複数のＰＲＵＳＢのサブバンドに割り当てられないサブバンドにのみ割り当てられることができる。
【０１４７】
図１４は、提案された発明によるレーンジングチャネルリソース割当の一例を示す。物理リソース領域のサブバンドは１乃至１２のインデックスを各々有することができる。前記物理リソース領域のサブバンドは、サブバンドパーティショニング過程を経てＰＲＵＳＢに割り当てられる。サブバンドパーティショニング過程により割り当てられたＰＲＵＳＢのサブバンドのうち一部は、物理リソース領域の複数のサブバンドへのＰＲＵからマッピングされる。例えば、第１の割当サブバンド３００は、物理リソース領域のインデックス３のサブバンドとインデックス４のサブバンドからマッピングされる。第２の割当サブバンド３１０は、物理リソース領域のインデックス６のサブバンドとインデックス７のサブバンドからマッピングされる。第３の割当サブバンド３２０は、物理リソース領域のインデックス９のサブバンドとインデックス１０のサブバンドからマッピングされる。レーンジングチャネルは、前記のように割当サブバンドがわたった物理リソース領域のサブバンドを除いた残りのサブバンドに割り当てられることができる。即ち、インデックスが１、２、５、８、１１、１２であるサブバンドがレーンジングチャネルリソースに割り当てられることができる。または、割当サブバンドがわたった物理リソース領域のサブバンドも１個のサブバンドと見做し、レーンジングチャネルに割り当てることができる。この場合、３個のサブバンドが追加にレーンジングチャネルリソースに割り当てられることができる。この時、追加に割り当てられたサブバンドのインデックスは、リソースがわたった物理サブバンドインデックスのうち小さいインデックスである。即ち、インデックスが１、２、３、５、６、８、９、１１、１２であるサブバンドは、レーンジングチャネルリソースに割り当てられることができる。
【０１４８】
本発明は、ハードウェア、ソフトウェアまたはこれらの組み合せで具現されることができる。ハードウェア具現において、前述した機能を遂行するためにデザインされたＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）、ＤＳＰ（ｄｉｇｉｔａｌ  ｓｉｇｎａｌ  ｐｒｏｃｅｓｓｉｎｇ）、ＰＬＤ（ｐｒｏｇｒａｍｍａｂｌｅ  ｌｏｇｉｃ  ｄｅｖｉｃｅ）、ＦＰＧＡ（ｆｉｅｌｄ  ｐｒｏｇｒａｍｍａｂｌｅ  ｇａｔｅ  ａｒｒａｙ）、プロセッサ、制御器、マイクロプロセッサ、他の電子ユニットまたはこれらの組み合せで具現されることができる。ソフトウェア具現において、前述した機能を遂行するモジュールで具現されることができる。ソフトウェアは、メモリユニットに格納されることができ、プロセッサにより実行される。メモリユニットやプロセッサは、当業者によく知られた多様な手段を採用することができる。
【０１４９】
前述した例示的なシステムで、方法は一連の段階またはブロックで順序図に基づいて説明されているが、本発明は、段階の順序に限定されるものではなく、ある段階は前述と異なる段階と異なる順序にまたは同時に発生することができる。また、当業者であれば、順序図に示す段階が排他的でなく、他の段階が含まれたり、或いは順序図の一つまたはその以上の段階が本発明の範囲に影響を及ぼさずに削除可能であること理解することができる。
【０１５０】
前述した実施例は多様な態様の例示を含む。多様な態様を示すための全ての可能な組み合せを記述することはできないが、該当技術分野の通常の知識を有する者は、他の組み合せが可能であることを認識することができる。従って、本発明は、特許請求の範囲内に属する全ての交替、修正、及び変更を含む。
【図１】
0005289615.tif 000032
【図５】
0005289615.tif 000033
【図７（ａ）】
0005289615.tif 000034
【図７（ｂ）】
0005289615.tif 000035
【図８】
0005289615.tif 000036
【図９】
0005289615.tif 000037
【図２】
0005289615.tif 000038
【図３】
0005289615.tif 000039
【図４】
0005289615.tif 000040
【図６】
0005289615.tif 000041
【図１０】
0005289615.tif 000042
【図１１】
0005289615.tif 000043
【図１２】
0005289615.tif 000044
【図１３】
0005289615.tif 000045
【図１４】
0005289615.tif 000046